(57)【要約】【課題】カラーファイルを通信可能なファクシミリ装置において、より安定した通信を可能とすること。【解決手段】色空間ｓＹＣＣのＪＰＥＧ符号化ファイルとして原稿画像を送信する際、１ページ分の原稿画像を読みとってから送信処理を行うことにより、ＪＰＥＧのヘッダ部分でライン数を通知することができ、ＤＮＬマーカを使用せずに送信することが可能になる。これにより、色空間ｓＹＣＣのＪＰＥＧ符号化情報受信において、ＤＮＬマーカをサポートしていない受信機が存在していたとしても、エラー無く送信を行うことができる。【選択図】　図７
2004140467.tif 000002
【特許請求の範囲】
【請求項１】
原稿画像を第１の色空間及び第１の色空間と異なる第２の色空間のいずれかでのＪＰＥＧ符号化情報として送信可能なファクシミリ装置であって、
前記第１の色空間でのＪＰＥＧ符号化情報として原稿画像を送信する場合には、ライン数の指定をＤＮＬマーカによって行い、前記第２の色空間でのＪＰＥＧ符号化情報として原稿画像を送信する場合には、ライン数の指定をＪＰＥＧヘッダで行い、ＤＮＬマーカを使用しないことを特徴とするファクシミリ装置。
【発明の詳細な説明】
【０００１】
【発明の属する技術分野】
本発明は、ファクシミリ通信技術に関し、特に、カラー情報を通信可能なファクシミリ通信技術に関するものである。
【０００２】
【従来の技術】
従来のカラー情報を通信可能なファクシミリ装置は、ＩＴＵ−Ｔ勧告Ｔ．３０、Ｔ．４、Ｔ．８１、Ｔ．４２で技術標準が規定され、これら規格に準拠したカラーファクシミリ装置は色空間Ｌａｂでのカラー情報を通信する。一方、最近のデジタルカメラの普及に伴い、デジタルカメラで撮影した画像情報をそのままファクシミリプロトコルを使用して送信したいというニーズが高まってきた。
【０００３】
しかしながら、デジタルカメラが画像記録に使用している色空間はＬａｂでなく、色空間ｓＹＣＣ（ｓＲＧＢをベースとするＹＣＣ）である。このため、色空間ｓＹＣＣでの情報、たとえばＪＰＥＧ符号化情報をそのまま送信するためのファクシミリプロトコルについての検討がなされている。
【０００４】
【発明が解決しようとする課題】
色空間ｓＹＣＣのＪＰＥＧフルカラー送信を考えると、基本的には、カラー原稿情報（原稿を読み取って生成された画像情報）の送信では無く、デジタルカメラで撮影し、メモリカードやハードディスク等の記憶媒体に格納されているファイル情報の送信であるケースが多いと考えられる。この場合は、既に１ページ分の情報がメモリカードに格納されているため、副走査方向のライン数も事前に判っている。このため、従来の色空間Ｌａｂでのカラー原稿情報の送信と異なり、副走査方向のライン数をＪＰＥＧのヘッダ情報で通知するケースが多くなる事が予想される。そのため、色空間ｓＹＣＣのＪＰＥＧカラー情報を受信する場合、ヘッダ部分でライン数を受け取ることを前提とし、ＤＮＬマーカをサポートしない受信機が存在する可能性がある。
【０００５】
一方、カラー原稿情報を送信する場合には、一ページ分の読み込みが終了するまで副走査方向のライン数はわからないため、ダイレクトに送信する場合には、ＪＰＥＧカラー情報のヘッダ部分にはライン数を指定できない。そのため、ＪＰＥＧファイルの画像情報の後に配置されるＤＮＬマーカ（Ｄｅｆｉｎｅ　Ｎｕｍｂｅｒ　ｏｆ　Ｌｉｎｅｓ　Ｍａｒｋｅｒ：画素ライン数指定マーカ）によって、ライン数を指定することになる。
【０００６】
上述のように、色空間ＬａｂのＪＰＥＧカラー情報を送信するファクシミリぷトロコルは規格化されているため、ヘッダ情報ではなくＤＮＬマーカを用いてライン数を指定しても受信側で通信エラーが生じることはない。しかし、色空間ｓＹＣＣでのカラー原稿送信については規格化されていないため、色空間ｓＹＣＣのＪＰＥＧカラー情報受信においてＤＮＬマーカをサポートしない受信機は送信エラーを起こす可能性がある。
【０００７】
本発明はこのような問題を解決することを目的としたものであり、受信機が万一色空間ｓＹＣＣのＪＰＥＧカラー情報受信に際してＤＮＬマーカをサポートしない受信機であっても、色空間ｓＹＣＣでのカラー原稿送信を正常に行うことのできるファクシミリ装置を提供することにある。
【０００８】
【課題を解決するための手段】
すなわち、本発明の要旨は、原稿画像を第１の色空間及び第１の色空間と異なる第２の色空間のいずれかでのＪＰＥＧ符号化情報として送信可能なファクシミリ装置であって、第１の色空間でのＪＰＥＧ符号化情報として原稿画像を送信する場合には、ライン数の指定をＤＮＬマーカによって行い、第２の色空間でのＪＰＥＧ符号化情報として原稿画像を送信する場合には、ライン数の指定をＪＰＥＧヘッダで行い、ＤＮＬマーカを使用しないことを特徴とするファクシミリ装置に存する。
【０００９】
【発明の実施の形態】
以下、添付図面を参照して、本発明をその好適な実施形態に基づき詳細に説明する。
図１は、本発明の実施形態に係るファクシミリ装置の構成例を示すブロック図である。
【００１０】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１１】
４は、電話機である。
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１２】
８は、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、どの勧告に基づいた変復調を行うかが指定される。変復調器８は、バス２６からの送信信号を入力して変調データを信号線８ａに出力するとともに、信号線６ａに出力されている受信信号を入力して復調データをバス２６に出力する。
【００１３】
１０は、発呼回路であり、バス２６からの信号により、電話番号情報を入力し、信号線１０ａにＤＴＭＦの選択信号を出力する。
１２は、加算回路であり、信号線８ａの情報と信号線１０ａの情報を入力し、加算した結果を信号線１２ａに出力する。
【００１４】
１４は、カラー読み取り可能な読取回路であり、読み取りデータをバス２６に出力する。
１６は、カラー記録可能な記録回路であり、バス２６に出力されている情報を順次１ライン毎に記録する。
【００１５】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納するために使用する。
【００１６】
２０は、操作部であり、ワンタッチダイヤル、短縮ダイヤル、テンキー、＊キー、＃キー、スタートキー、ストップキー、セットキー、カラー情報の送信を選択するキー、メモリカード情報の送信選択キー、その他のファンクションキーがあり、押下されたキー情報はバス２６に出力される。
【００１７】
操作部２０には、図示しない表示部があり、バス２６に出力されている情報を表示する。
２２は、ＣＰＵ（中央処理装置）であり、ファクシミリ伝送制御手順の実行を含めたファクシミリ装置全体の制御を行う。ＣＰＵ２２の制御プログラムは、ＲＯＭ２４に格納される。
【００１８】
２６は、バスである。
２８は、カードインターフェイスであり、３０のリムーバブルメモリカード（例えば、デジタルカメラで撮影した情報が記憶されているメモリカード）がセットされる。
【００１９】
図２は、本実施形態において用いられる、ＤＩＳ（Ｄｉｇｉｔａｌ　Ｉｎｆｏｒｍａｔｉｏｎ　Ｓｉｇｎａｌ）／ＤＴＣ（Ｄｉｇｉｔａｌ　Ｔｒａｎｓｍｉｔ　Ｓｉｇｎａｌ）信号およびＤＣＳ（Ｄｉｇｉｔａｌ　Ｃｏｎｔｒｏｌ　Ｓｉｇｎａｌ）信号におけるＦＩＦ（Ｆａｃｓｉｍｉｌｅ　Ｉｎｆｏｒｍａｔｉｏｎ　Ｆｉｅｌｄ）のビット番号とそのビットが”１”である場合に有効な意味（状態）を示し、ＩＴＵ−Ｔ勧告Ｔ．３０に規定されているものと本発明によって新たに設定されたものを含んでいる。
ＤＩＳ／ＤＴＣ信号のＦＩＦの第６８ビットにより、色空間ＬａｂでのＪＰＥＧ受信機能の有無を通知し、ＤＣＳ信号のＦＩＦの第６８ビットにより、色空間ＬａｂでのＪＰＥＧ送信を指定する。
【００２０】
また、ＤＩＳ／ＤＴＣ信号のＦＩＦの第６９ビットにより、色空間Ｌａｂでのフルカラー受信機能の有無を通知し、ＤＣＳ信号のＦＩＦの第６９ビットにより、色空間Ｌａｂのフルカラー送信を指定する。
ＤＩＳ／ＤＴＣ信号のＦＩＦのＸビットにより、色空間ｓＹＣＣでのＪＰＥＧ符号化／フルカラー受信機能の有無を通知し、ＤＣＳ信号のＦＩＦのＸビットにより、色空間ｓＹＣＣでのＪＰＥＧ符号化／フルカラー送信を指定をする。なお、Ｘは、現在Ｔ．３０勧告に規定されていないビット番号を意味している。
【００２１】
２４は、ＲＯＭであり、ＣＰＵ２２の制御プログラムが格納されている。ＣＰＵ２２はＲＯＭ２４に格納された制御プログラムを実行することによって、従来のカラーファクシミリ装置と同等の送受信機能および、色空間ｓＹＣＣでのＪＰＥＧ符号化情報の送受信機能を含め、以下に説明する、本実施形態に係るファクシミリ装置の動作を実現する。
【００２２】
次に、図３〜図８に示すフローチャートを用いて、本実施形態に係るファクシミリ装置の動作について説明する。なお、図３〜図８に示す動作は、ＣＰＵ２２がＲＯＭ２４に記憶された制御プログラムを実行し、ファクシミリ装置の各構成要素を制御することによって実現される。
【００２３】
図３において、Ｓ０は、始めを表している。
Ｓ２では、バス２６を介して、メモリ１８をイニシャライズする。
Ｓ４では、バス２６を介して、操作部２０の図示しない表示部をクリアする。Ｓ６では、バス２６を介してＮＣＵ２のＣＭＬをオフ（電話回線２ａを電話機側に接続）する。
【００２４】
Ｓ８では、ファクシミリ送信が選択されたか否か（送信機として動作するか否か）が判断され、ＹＥＳであるとＳ１４に進み、ＮＯであるとＳ１０に進む。
Ｓ１０では、ファクシミリ受信が選択されたか否か（受信機として動作するか否か）が判断され、ＹＥＳであるとＳ７４に進み、ＮＯであるとＳ１２に進んでその他の処理を行った後Ｓ６へ戻る。
【００２５】
Ｓ１４では、操作部２０から与えられた情報に基づいて、たとえばメモリカード３０内に格納された画像ファイル等、ファイル情報の送信が選択されたか否かが判断され、ＹＥＳであるとＳ１８に進み、ＮＯであると（すなわち、原稿画像の送信が選択されると）Ｓ１６に進む。
Ｓ１６では、操作部２０から与えられた情報に基づいて、カラー原稿情報の送信が選択されたか否かが判断され、ＹＥＳであるとＳ４４に進み、ＮＯであるとＳ３４に進む。
【００２６】
Ｓ１８では、バス２６を介して、ＮＣＵ２のＣＭＬをオン（電話回線２ａをファクシミリ装置側に接続）する。
Ｓ２０では、バス２６を介して、発呼回路１０を使用し、操作部２０を介してユーザから指定された宛先へ発呼する。
【００２７】
Ｓ２２では、前手順を開始する。
Ｓ２４では、相手側ファクシミリ装置から受信したＤＩＳ信号のＦＩＦのＸビットは”１”であるか否か、すなわち、相手側ファクシミリ装置が色空間ｓＹＣＣでのＪＰＥＧ／フルカラー受信機能を有するか否かが判断され、ＹＥＳ（有する）であるとＳ２６に進み、ＮＯであるとＳ３２に進む。
【００２８】
Ｓ２６では、残りの前手順を実行する。ここで、送信するＤＣＳ信号のＦＩＦのＸビットを”１”にし、相手側ファクシミリ装置に色空間ｓＹＣＣでのＪＰＥＧ／フルカラー受信を指定する。
Ｓ２８では、カードインターフェイス２８にセットされているメモリカード３０に格納されている色空間ｓＹＣＣのＪＰＥＧ符号化されたフルカラー情報を送信する。ここで、主走査方向の画素数はＪＰＥＧヘッダのＸパラメータ、副走査方向の画素数は同Ｙパラメータに格納され、相手受信機に通知される。
【００２９】
Ｓ３０で、後手順を行い、Ｓ６へ戻る。
Ｓ３２では、操作部２０の表示部に、相手側ファクシミリ装置が色空間ｓＹＣＣでのＪＰＥＧ／フルカラー受信機能を持っていないために送信ができない旨のエラーメッセージ、ここでは「指定されたカラー通信が実行できないので、通信を中断します。」を表示する。この表示は表示後に操作部２０で何らかのキー操作があった場合消去し、Ｓ６へ戻る。
【００３０】
一方、Ｓ１６においてＮＯの場合、すなわち、モノクロ原稿の送信が選択された場合には、Ｓ３４において、バス２６を介して、ＮＣＵ２のＣＭＬをオンする。
そして、Ｓ３６で、バス２６を介して、発呼回路１０を使用して指定された宛先へ発呼する。
【００３１】
Ｓ３８で、前手順を行う。モノクロ原稿の送信であるため、前手順において送信するＤＣＳ信号のＦＩＦの第６８、６９、Ｘビットは全て”０”にする。
Ｓ４０では、読み取り回路１４を用いたモノクロ原稿情報の読み取り、符号化等を含む送信処理を行う。
Ｓ４２では、後手順を行い、Ｓ６へ戻る。
【００３２】
また、Ｓ１６においてＹＥＳの場合、すなわち、カラー原稿の送信が選択された場合には、Ｓ４４において、操作部２０から与えられた情報に基づいて、このカラー原稿情報の送信における色空間として、ｓＹＣＣが選択されているか、Ｌａｂがが選択されているか否かを判断する。そして、Ｌａｂが選択されている場合にはＳ４６に進み、ｓＹＣＣが選択されている場合にはＳ６０に進む。なお、原稿読み取り時の色空間指定は、例えばファクシミリ装置の動作モード設定等によって設定され、例えばメモリ１８の不揮発性領域に保存されている内容を参照することによって判定可能である。もちろん、原稿送信時にユーザが操作部２０を用いて都度設定可能としてもよい。その場合、操作部２０から与えられる情報に基づいて判断可能である。
【００３３】
Ｓ４６では、バス２６を介して、ＮＣＵ２のＣＭＬをオンする。
Ｓ４８では、バス２６を介して、発呼回路１０を使用して指定された宛先へ発呼する。
Ｓ５０では、前手順を開始する。
【００３４】
Ｓ５２では、相手側ファクシミリ装置からのＤＩＳ信号のＦＩＦの第６８、６９ビットがいずれも”１”であるか否か、すなわち相手側ファクシミリ装置が色空間ＬａｂでのＪＰＥＧフルカラー画像の受信機能を有するかが判断され、ＹＥＳであるとＳ５４に進み、ＮＯであるとＳ３２進む。Ｓ３２では上述のようにエラーメッセージが表示される。
【００３５】
Ｓ５４では、残りの前手順を実行する。ここで、送信するＤＣＳ信号のＦＩＦの第６８、６９ビットを”１”にし、色空間ＬａｂでのＪＰＥＧフルカラー画像の受信を指定する。
【００３６】
Ｓ５６では、色空間Ｌａｂにてカラー原稿情報をＪＰＥＧ符号化でのフルカラー情報を送信する。すなわち、読み取り回路１４を用いて原稿を読み取り、色空間ＬａｂでＪＰＥＧ符号化して送信する。なお、色空間ＬａｂでのＪＰＥＧカラー情報送信では、主走査方向の画素数はＪＰＥＧヘッダのＸパラメータに格納し、副走査方向の画素数はＹパラメータで無くＤＮＬマーカに格納し、相手受信機に通知する。これにより、カラー原稿送信時、１ページの原稿情報を読み取りながら送信（１ページ分の原稿情報を読み取り終わるのを待つことなく送信を開始）できる。
Ｓ５８では、後手順を行い、Ｓ６へ戻る。
【００３７】
Ｓ４４において、ＮＯの場合、すなわち、色空間ｓＹＣＣでのカラー原稿送信が指定された場合には、Ｓ６０において、読み取り回路１４を用い、色空間ｓＹＣＣにてカラー原稿情報を読み取り、ＪＰＥＧ符号化してメモリ１８に格納する。原稿１ページ文の処理を終了後、Ｓ６２へ移行する。
【００３８】
Ｓ６２では、バス２６を介して、ＮＣＵ２のＣＭＬをオンする。
Ｓ６４では、バス２６を介して発呼回路１０を使用し、指定された宛先へ発呼する。
Ｓ６６で、前手順を開始する。
【００３９】
Ｓ６８では、相手側ファクシミリ装置から受信したＤＩＳ信号のＦＩＦの第Ｘビットは”１”であるか否か、すなわち色空間ｓＹＣＣでのＪＰＥＧフルカラー受信機能の有無が判断され、ＹＥＳ（機能あり）の場合Ｓ６９に進み、ＮＯの場合Ｓ３２に進み、エラーメッセージを表示する。
Ｓ６９では、残りの前手順を実行する。ここで、送信するＤＣＳ信号のＦＩＦの第Ｘビットを”１”にして、色空間ｓＹＣＣでのＪＰＥＧフルカラー受信を行うように指定する。
【００４０】
Ｓ７０では、色空間ｓＹＣＣにてカラー原稿情報をＪＰＥＧ符号化したフルカラー情報を送信する。ここで、主走査方向の画素数はＪＰＥＧヘッダのＸパラメータ、副走査方向の画素数（ライン数）は同Ｙパラメータに格納し、相手受信機に通知する。Ｓ６０において、原稿１ページ分の読み取りが終了し、メモリ１８に格納されているため、送信開始時においてライン数の指定が可能となる。そして、ＤＮＬマーカの使用は行わない。
【００４１】
原稿が複数ページ存在する場合には、Ｓ７０において、ページを送信中に、次のページについて、Ｓ６０と同様に読み取り回路１４を用い、色空間ｓＹＣＣにてカラー原稿情報を読み取り、ＪＰＥＧ符号化してメモリ１８に格納する。そして、原稿がなくなるまで送信処理及び読み取り符号化処理を繰り返す。
Ｓ７２では、後手順を行い、Ｓ６へ戻る。
【００４２】
Ｓ１０において、ファクシミリ受信が選択された場合には、以下の受信処理を行う。
Ｓ７４では、バス２６を介してＮＣＵ２のＣＭＬをオンする。
Ｓ７６では前手順を行う。ここで、ＤＩＳ信号のＦＩＦの第６８、６９、Ｘビットは”１”とする。これにより、相手側ファクシミリ装置に、色空間ＬａｂでのＪＰＥＧフルカラー受信機能及び、色空間ｓＹＣＣでのＪＰＥＧフルカラー受信機能の両方を有していることを通知する。
【００４３】
Ｓ７８では、相手側ファクシミリ装置から受信したＤＣＳ信号のＦＩＦの第６８、６９ビットがいずれも”１”であるか否か、すなわち色空間ＬａｂでのＪＰＥＧフルカラー受信が指定されているか否かが判断され、ＹＥＳであるとＳ８０に進み、ＮＯであるとＳ８４に進む。
Ｓ８０では、色空間ＬａｂのＪＰＥＧ符号化のフルカラー情報を受信し、記録回路１６によってカラー記録する。
Ｓ８２では、後手順を行い、Ｓ６へ戻る。
【００４４】
Ｓ７８でＮＯの場合、Ｓ８４で、ＤＣＳ信号のＦＩＦの第Ｘビットは”１”であるか否か、すなわち色空間ｓＹＣＣのＪＰＥＧフルカラー受信が指定されているか否かが判断され、ＹＥＳであるとＳ８６に進み、ＮＯであるとＳ９０に進む。
Ｓ８６では、色空間ｓＹＣＣのＪＰＥＧ符号化のフルカラー情報を受信し、ここでは記録を行わず、カードインターフェイス２８にセットされているメモリカード３０に格納する。
Ｓ８８では、後手順を行い、Ｓ６へ戻る。
【００４５】
Ｓ８４でＮＯの場合、すなわち、モノクロ画像情報の受信が指定されている場合には、Ｓ９０で、モノクロ画信号を受信し、記録回路１８によってモノクロ記録する。
Ｓ９２では、後手順を行い、Ｓ６へ戻る。
【００４６】
【他の実施形態】
上述の実施形態においては、色空間ｓＹＣＣでの原稿画像をＪＰＥＧ符号化して送信する場合に、ＤＮＬマーカを使用せずに、原稿を１ページ分読みとってからヘッダにライン数を指定する場合を説明したが、将来的に他の色空間での原稿画像をＪＰＥＧ符号化して送信する場合にも、本発明を適用することが可能である。
【００４７】
また、前述した実施形態の機能を実現するソフトウェアのプログラム（実施形態では図３〜図８に示すフローチャートに対応したプログラム）を、記録媒体から直接、或いは有線／無線通信を用いて当該プログラムを実行可能なコンピュータを有するシステム又は装置に供給し、そのシステム或いは装置のコンピュータが該供給されたプログラムを実行することによって同等の機能が達成される場合も本発明に含む。
【００４８】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００４９】
その場合、プログラムの機能を有していれば、オブジェクトコード、インタプリタにより実行されるプログラム、ＯＳに供給するスクリプトデータ等、プログラムの形態を問わない。
【００５０】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等の光／光磁気記憶媒体、不揮発性の半導体メモリなどがある。
【００５１】
有線／無線通信を用いたプログラムの供給方法としては、コンピュータネットワーク上のサーバに本発明を形成するコンピュータプログラムそのもの、もしくは圧縮され自動インストール機能を含むファイル等、クライアントコンピュータ上で本発明を形成するコンピュータプログラムとなりうるデータファイル（プログラムデータファイル）を記憶し、接続のあったクライアントコンピュータにプログラムデータファイルをダウンロードする方法などが挙げられる。この場合、プログラムデータファイルを複数のセグメントファイルに分割し、セグメントファイルを異なるサーバに配置することも可能である。
【００５２】
つまり、本発明の機能処理をコンピュータで実現するためのプログラムデータファイルを複数のユーザに対してダウンロードさせるサーバ装置も本発明に含む。
【００５３】
また、本発明のプログラムを暗号化してＣＤ−ＲＯＭ等の記憶媒体に格納してユーザに配布し、所定の条件を満たしたユーザに対して暗号化を解く鍵情報を、例えばインターネットを介してホームページからダウンロードさせることによって供給し、その鍵情報を使用することにより暗号化されたプログラムを実行してコンピュータにインストールさせて実現することも可能である。
【００５４】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００５５】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現され得る。
【００５６】
本発明の実施態様を以下に列挙する。
【００５７】
［実施態様１］　原稿画像を第１の色空間及び第１の色空間と異なる第２の色空間のいずれかでのＪＰＥＧ符号化情報として送信可能なファクシミリ装置であって、
前記第１の色空間でのＪＰＥＧ符号化情報として原稿画像を送信する場合には、ライン数の指定をＤＮＬマーカによって行い、前記第２の色空間でのＪＰＥＧ符号化情報として原稿画像を送信する場合には、ライン数の指定をＪＰＥＧヘッダで行い、ＤＮＬマーカを使用しないことを特徴とするファクシミリ装置。
【００５８】
［実施態様２］　前記第１の色空間でのＪＰＥＧ符号化情報として原稿画像を送信する場合には、原稿画像の読み取り及び符号化、送信処理を並行して行い、前記第２の色空間でのＪＰＥＧ符号化情報として原稿画像を送信する場合には、原稿１ページ分の読み取りが終了してから当該ページに対する符号化、送信処理を行うことを特徴とする実施態様１記載のファクシミリ装置。
【００５９】
［実施態様３］　前記第１の色空間がＬａｂ、前記第２の色空間がｓＹＣＣであることを特徴とする実施態様１又は実施態様２記載のファクシミリ装置。
【００６０】
［実施態様４］　原稿画像を第１の色空間及び第１の色空間と異なる第２の色空間のいずれかでのＪＰＥＧ符号化情報として送信可能なファクシミリ通信方法であって、
前記第１の色空間でのＪＰＥＧ符号化情報として原稿画像を送信する場合には、ライン数の指定をＤＮＬマーカによって行い、前記第２の色空間でのＪＰＥＧ符号化情報として原稿画像を送信する場合には、ライン数の指定をＪＰＥＧヘッダで行い、ＤＮＬマーカを使用しないことを特徴とするファクシミリ通信方法。
【００６１】
［実施態様５］　前記第１の色空間でのＪＰＥＧ符号化情報として原稿画像を送信する場合には、原稿画像の読み取り及び符号化、送信処理を並行して行い、前記第２の色空間でのＪＰＥＧ符号化情報として原稿画像を送信する場合には、原稿１ページ分の読み取りが終了してから当該ページに対する符号化、送信処理を行うことを特徴とする実施態様４記載のファクシミリ通信方法。
【００６２】
［実施態様６］　前記第１の色空間がＬａｂ、前記第２の色空間がｓＹＣＣであることを特徴とする実施態様４又は実施態様５記載のファクシミリ通信方法。
【００６３】
【発明の効果】
以上説明したように、本発明によれば、色空間ｓＹＣＣのＪＰＥＧフルカラーでの原稿情報の送信時においても、副走査方向のライン数をＪＰＥＧファイルのＤＮＬマーカではなく、ＪＰＥＧのヘッダーで相手受信機に通知するようにしたため、受信機が色空間ｓＹＣＣでのＪＰＥＧファイル受信においてＤＮＬマーカをサポートしていなくても、エラーを起こさずに送信することが可能になる。
【図面の簡単な説明】
【図１】本発明の一実施形態に係るファクシミリ装置の構成例を示すブロック図である。
【図２】本発明の実施形態に係るファクシミリ装置で用いるＦＩＦの例を示す図である。
【図３】、
【図４】、
【図５】、
【図６】、
【図７】、
【図８】、
本発明の実施形態に係るファクシミリ装置の動作を説明するフローチャートである。
【符号の説明】
２．ＮＣＵ
４．電話機
６．ハイブリッド回路
８．変復調器
１０．発呼回路
１２．加算回路
１４．読み取り回路
１６．記録回路
１８．メモリ回路
２０．操作部
２２．ＣＰＵ
２４．ＲＯＭ
２６．バス
２８．カードインターフェイス
３０．メモリカード
【図１】
2004140467.tif 000003
【図２】
2004140467.tif 000004
【図３】
2004140467.tif 000005
【図４】
2004140467.tif 000006
【図５】
2004140467.tif 000007
【図６】
2004140467.tif 000008
【図７】
2004140467.tif 000009
【図８】
2004140467.tif 000010